(57)【要約】【課題】本発明の目的は、光出射角が大きい発光ダイオードランプを提供することである。【解決手段】本発明に係る発光ダイオードランプは、中空のハウジング１０と、前記ハウジング１０の内部に収容される発光ダイオードモジュール２０と、前記発光ダイオードモジュール２０を覆設する透光性のランプカバー３０と、を備え、前記ランプカバー３０は、前記ハウジング１０の内部に収容され、円筒状のカバー体３２及び前記カバー体３２の一端の開口に連接される底板３４を備え、前記ハウジング１０には、前記発光ダイオードモジュール２０から出射された光を通過させる貫通孔１４０が形成される。【選択図】図２
2012119317.tif 000002
【特許請求の範囲】
【請求項１】
中空のハウジングと、前記ハウジングの内部に収容される発光ダイオードモジュールと、前記発光ダイオードモジュールを覆設する透光性のランプカバーと、を備えてなる発光ダイオードランプであって、
前記ランプカバーは、前記ハウジングの内部に収容され、円筒状のカバー体及び前記カバー体の一端の開口に連接される底板を備え、
前記ハウジングには、前記発光ダイオードモジュールから出射される光を通過させる貫通孔が形成されることを特徴とする発光ダイオードランプ。
【請求項２】
前記ハウジングは、基板及び前記基板の周縁から前記基板に直交するように延在する筒体を備え、前記貫通孔は、前記筒体の円周方向に沿って延在し且つ前記筒体を貫通するように前記筒体の外周面に開設されることを特徴とする請求項１に記載の発光ダイオードランプ。
【請求項３】
前記発光ダイオードモジュールから出射された光は、前記ランプカバーのカバー体及び底板を透過して外部へ出射され、前記底板を透過した光は、前記発光ダイオードランプの正面方向を照射し、前記カバー体を透過した光は、前記ハウジングの貫通孔から前記発光ダイオードランプの周囲を照射することを特徴とする請求項２に記載の発光ダイオードランプ。
【発明の詳細な説明】
【技術分野】
【０００１】
本発明は、照明装置に関し、特に発光ダイオードランプに関するものである。
【背景技術】
【０００２】
発光ダイオード（Ｌｉｇｈｔ  Ｅｍｉｔｔｉｎｇ  Ｄｉｏｄｅ、ＬＥＤ）は、高輝度、低消費電力、長寿命である等の利点を有することから、伝統的な蛍光灯或いは白熱灯に代わるランプの光源として広く利用されている。
【０００３】
現在、一般の発光ダイオードランプは、平板状の基板及び前記基板の底面に設置された複数の発光ダイオードモジュールを備える。このようなランプは、照射方向が単一で、光出射角が小さいが、概ね照明の需要は満足することができる。しかし、ガレージ或いは炭鉱地帯などのような比較的大きな光出射角を必要とする特定の場所には不向きである。
【発明の概要】
【発明が解決しようとする課題】
【０００４】
前記課題を解決するために、本発明は、光出射角が大きい発光ダイオードランプを提供する。
【課題を解決するための手段】
【０００５】
本発明に係る発光ダイオードランプは、中空のハウジングと、前記ハウジングの内部に収容される発光ダイオードモジュールと、前記発光ダイオードモジュールを覆設する透光性のランプカバーと、を備え、前記ランプカバーは、前記ハウジングの内部に収容され、円筒状のカバー体及び前記カバー体の一端の開口に連接される底板を備え、前記ハウジングには、前記発光ダイオードモジュールから出射される光を通過させる貫通孔が形成される。
【発明の効果】
【０００６】
従来の技術と比べると、本発明に係る発光ダイオードランプにおいて、発光ダイオードモジュールから出射された光は、前記ランプカバーのカバー体及び底板を透過して外部へ出射される。前記底板を透過した光は、前記発光ダイオードランプの正面方向を照射し、前記カバー体を透過した光は、前記ハウジングの貫通孔から前記発光ダイオードランプの外周を照射する。従って、前記発光ダイオードランプは、その周囲で立体的な照明を形成することができる。
【図面の簡単な説明】
【０００７】
【図１】本発明の実施形態に係る発光ダイオードランプの立体図である。
【図２】図１に示した本発明の実施形態に係る発光ダイオードランプの分解図である。
【図３】図１に示した本発明の実施形態に係る発光ダイオードランプを別の視点から見た分解図である。
【発明を実施するための形態】
【０００８】
以下、図面を参照して、本発明の実施形態について説明する。
【０００９】
図１及び図２を参照すると、本発明の実施形態に係る発光ダイオードランプは、中空のハウジング１０と、前記ハウジング１０の内部に設置される発光ダイオードモジュール２０と、前記ハウジング１０の内部に設置され且つ前記発光ダイオードモジュール２０を覆設するランプカバー３０と、前記ランプカバー３０を固定する固定部材４０と、を備える。
【００１０】
図３も併せて参照すると、前記ハウジング１０は、アルミニウム、鉄、或いはアルミニウムと鉄との合金などの金属材料から一体成形されており、開口（図示せず）を有する円筒状を呈し、基板１２及び前記基板の周縁から前記基板に直交するように延在する筒体１４を備える。本実施形態において、前記基板１２は、円板状を呈し、前記筒体１４は、円筒状を呈す。前記ハウジング１０の筒体１４の外周面には、前記筒体１４の円周方向に沿って延在し且つ前記筒体１４を貫通する複数の細長い貫通孔１４０が互いに等間隔に離間して開設される。本実施形態において、前記貫通孔１４の数は８つであるが、これに限定されるものではなく、照明の需要に基づいて、数の変更が可能である。
【００１１】
前記発光ダイオードモジュール２０は、前記ハウジング１０の基板１２に設置される円形の電気回路板２２と、前記電気回路板２２における前記基板１２側とは反対側の表面に互いに離間して設置される複数の発光ダイオード２４と、を備える。前記発光ダイオード２４の数量は前記発光ダイオードランプのパワーに基づいて変更することができる。
【００１２】
前記ランプカバー３０は、前記ハウジング１０の内部に収容されており、前記ハウジング１０の筒体１４の内表面に貼設される円筒状のカバー体３２及び前記カバー体３２の一端の開口に連接される底板３４を備える。前記ランプカバー３０は、ガラス、樹脂、プラスチックなどの材料によって一体成形される。また前記カバー体３２及び前記底板３４は、異なる材料を採用して別々に形成することもできる。例えば、前記カバー体３２は、アルミニウム、鉄、或いはアルミニウムと鉄との合金などの金属材料からなり、前記底板３４は、ガラス、樹脂、プラスチックなどの材料からなる。前記底板３４は、円盤状を呈し、前記カバー体３２の前記ハウジング１０の開口に近い一端に連接され、前記カバー体３２を密封するために用いられる。前記底板３４の前記基板１２に対面する表面の中央部には、前記基板１２に向かって突出する円筒係止部３４０が形成され、前記円筒係止部３４０の頂面の中央部には、前記固定部材４０を貫かせるスルーホール３４２が開設されている。
【００１３】
前記固定部材４０は、円形基部４２０と、前記円形基部４２０における前記基板１２に対面する表面の中央部から前記円形基部４２０に直交するように延在する中空の円柱状の連接部４４と、前記円形基部４２０における前記基板１２に対面する表面から前記円形基部４２０に直交するように延在し且つ前記連接部４４を囲んで設置されるフランジ４２と、を備える。前記固定部材４０及び前記ランプカバー３０を組立てる過程において、前記フランジ４２は、前記底板３４の円筒係止部３４０の内部に収容され、前記連接部４４は、前記円筒係止部３４０のスルーホール３４２を貫通して前記底板３４に固定され、前記円形基部４２０は、前記底板３４における前記基板１２側とは反対側の表面の円筒係止部３４０に対応する開口の周縁に貼設される。
【００１４】
図１〜図３を参照すると、前記発光ダイオードランプを使用する時、前記ハウジング１０の基板１２は、天井、壁、床などの平面に取り付けられ、前記発光ダイオードモジュール２０から出射された光は、前記ランプカバー３０のカバー体３２及び底板３４を透過して外部へ出射される。前記底板３４を透過した光は、前記発光ダイオードランプの正面方向を照射し、前記カバー体３２を透過した光は、前記ハウジング１０の貫通孔１４０から前記発光ダイオードランプの周囲を照射する。従って、前記発光ダイオードランプは、その周囲で立体的な照明を形成することができる。なお、前記ランプカバー３０は、前記ハウジング１０の内部に収容されるので、損傷を受けない。
【符号の説明】
【００１５】
１０  ハウジング
１２  基板
１４  筒体
１４０  貫通孔
２０  発光ダイオードモジュール
２２  電気回路板
２４  発光ダイオード
３０  ランプカバー
３２  カバー体
３４  底板
３４０  円筒係止部
３４２  スルーホール
４０  固定部材
４２  フランジ
４２０  円形基部
４４  連接部
【図１】
2012119317.tif 000003
【図２】
2012119317.tif 000004
【図３】
2012119317.tif 000005